(57)【要約】      （修正有）【課題】低位のセット圧及び高位のセット圧をもつリリーフバルブを簡便な構成で実現する。【解決手段】液圧力を受けて進退しドレーンポート２４の開度を拡縮させるスプール弁体３と、スプール弁体３を弾性付勢するスプール付勢スプリング４と、スプール付勢スプリング４を支持する可動のリテーナ５と、リテーナ５の可動範囲を規制するストッパ２５と、リテーナ５を弾性付勢するリテーナ付勢スプリング６とを具備するリリーフバルブ１とした。リテーナ付勢スプリング６は予め圧縮されており、スプール弁体３に作用する液圧力が高位のセット圧に達するまでは収縮変形することはない。スプール弁体３に作用する液圧力が高位のセット圧以上となった後、リテーナ５及びスプール弁体３がともに変位してドレーンポート２４の開度を一層拡大させる。【選択図】図１
2013050159.tif 000002
【特許請求の範囲】
【請求項１】
流体の圧力を受けて進退しその進退動作により流体が流通する流通口の開度を拡縮させるスプール弁体と、
前記スプール弁体を前記流通口の開度を縮小させる方向に弾性付勢するスプール付勢スプリングと、
前記スプール付勢スプリングを支持する可動のリテーナと、
前記リテーナの前記スプール付勢スプリングの変形量を増大させる方向への移動の範囲を規制するストッパと、
前記リテーナを前記スプール付勢スプリングの変形量を増大させる方向に弾性付勢するとともに、リテーナが前記ストッパに当接した状態でも自らの弾性付勢力を発揮するよう予め変形させて設置したリテーナ付勢スプリングと
を具備するリリーフバルブ。
【請求項２】
前記スプール付勢スプリングは、低ばね定数部と、前記低ばね定数部よりもばね定数の高い高ばね定数部とを備えており、
前記スプール付勢スプリングの高ばね定数部のばね定数が、前記リテーナ付勢スプリングのばね定数よりも高い請求項１記載のリリーフバルブ。
【発明の詳細な説明】
【技術分野】
【０００１】
本発明は、リリーフバルブに関する。特に、車両用の内燃機関の内部潤滑及びこれに付随する各種液圧装置に作動液圧を供給する潤滑油系統に組み込まれるものに関する。
【背景技術】
【０００２】
車両用内燃機関では、オイルパン（オイルタンク）に貯留された潤滑油をオイルポンプにより圧送して機関各部の潤滑を行う。同時に、可変バルブタイミング機構やチェーンテンショナといった液圧装置に対しても、これを作動させるための液圧として潤滑油を供給している。オイルポンプは、内燃機関のクランクシャフトから回転駆動力の供与を受けて回転し、潤滑油を吸引、吐出する。
【０００３】
一般に、液圧回路には、安全弁としてリリーフバルブが組み込まれている。周知の通り、リリーフバルブは、回路内の液圧が所定のセット圧（リリーフ圧）を超えて過剰となった場合に開弁し、高圧液の一部を逃がして回路内の液圧をセット圧以下に抑制する働きをする。
【０００４】
車載の潤滑油系統では、エンジン回転数によらず、少なくとも可変バルブタイミング機構等を作動させるのに十分な液圧力が必要である。オイルポンプの能力は、この液圧力を常時供給できるように設計されている。加えて、エンジン回転数の高い運転領域では、機関の焼き付きを防止するべく、潤滑油系統を流れる潤滑油をさらに高圧化し、より多くの量の潤滑油を機関各部に供給することが求められる。
【０００５】
単純なリリーフバルブでは、セット圧は一意に定まる。そのセット圧を高回転の運転領域において要求される圧力に設定すると、低中回転の運転領域においてオイルポンプが不必要に高い圧力で潤滑油を圧送し続けることとなり、機械的損失につながる。このような損失を低減するべく、高回転時に要求される高いセット圧と、低中負荷時に要求される低いセット圧との二段階のセット圧をもつリリーフバルブを採用することが考えられる。
【０００６】
しかしながら、既知のこの種のリリーフバルブ（例えば、下記特許文献を参照）では、弁収容室の周壁に複数のドレーンポートを穿つか、弁収容室内を摺動するスプール弁体に複数の通路部を設けるかして潤滑油の流通経路を切り換えられるよう構成されており、スプール弁体の形状の複雑さとも相まって、作製に工数がかかるという不都合があった。並びに、複数のドレーンポートとスプール弁体との位置関係、またはドレーンポートとスプール弁体における複数の通路部との位置関係を精密に定めなければ所望のセット圧を実現できず、高い加工精度が必要とされた。
【先行技術文献】
【特許文献】
【０００７】
【特許文献１】特開２００５−０６９３５２号公報
【発明の概要】
【発明が解決しようとする課題】
【０００８】
本発明は、複数段階のセット圧をもつリリーフバルブを簡便な構成で実現することを所期の目的としている。
【課題を解決するための手段】
【０００９】
本発明に係るリリーフバルブは、流体の圧力を受けて進退しその進退動作により流体が流通する流通口の開度を拡縮させるスプール弁体と、前記スプール弁体を前記流通口の開度を縮小させる方向に弾性付勢するスプール付勢スプリングと、前記スプール付勢スプリングを支持する可動のリテーナと、前記リテーナの前記スプール付勢スプリングの変形量を増大させる方向への移動の範囲を規制するストッパと、前記リテーナを前記スプール付勢スプリングの変形量を増大させる方向に弾性付勢するとともに、リテーナが前記ストッパに当接した状態でも自らの弾性付勢力を発揮するよう予め変形させて設置したリテーナ付勢スプリングとを具備する。
【００１０】
前記スプール付勢スプリングは、低ばね定数部と、前記低ばね定数部よりもばね定数の高い高ばね定数部とを備えており、前記スプール付勢スプリングの高ばね定数部のばね定数が、前記リテーナ付勢スプリングのばね定数よりも高いものとすることが好ましい。
【発明の効果】
【００１１】
本発明によれば、複数段階のセット圧をもつリリーフバルブを簡便な構成で実現可能である。
【図面の簡単な説明】
【００１２】
【図１】本発明の一実施形態のリリーフバルブの構成を示す図。
【図２】同実施形態のリリーフバルブの構成を示す図。
【図３】同実施形態のリリーフバルブの構成を示す図。
【図４】同実施形態のリリーフバルブの構成を示す図。
【図５】同実施形態のリリーフバルブにより実現される、機関各部または液圧装置に供給される潤滑油の圧力を示す図。
【図６】本発明の変形例の一の構成を示す図。
【図７】同変形例の構成を示す図。
【図８】同変形例の構成を示す図。
【図９】同変形例の構成を示す図。
【発明を実施するための形態】
【００１３】
本発明の一実施形態を、図面を参照して説明する。図１に、本実施形態のリリーフバルブ１及びその適用対象となる車載内燃機関の潤滑油系統の液圧回路を示す。オイルポンプ７は、オイルパン８に貯留されている流体たる潤滑油を吸引して吐出する。このオイルポンプ７は、例えばトロコイド形の液圧ポンプ７であり、内燃機関のクランクシャフトから回転駆動力の供与を受け、クランクシャフトに従動して回転する。オイルポンプ７による潤滑油の吐出圧力は、原則としてエンジン回転数が高まるほど大きくなる。
【００１４】
オイルポンプ７が吐出する潤滑油は、内燃機関のカムシャフト周り等の高負荷の潤滑部９や、クランクシャフト周り、ピストン外周（シリンダボア内周）等の低負荷の潤滑部９を潤滑する目的で供給される。のみならず、クランクシャフトとカムシャフトとの回転位相差を調節する可変バルブタイミング機構や、クランクシャフトとカムシャフトとの間で動力伝達を行うスプロケットチェーンの張力を調整するチェーンテンショナといった液圧装置０にも、作動液圧として供給される。
【００１５】
液圧回路に組み込んだリリーフバルブ１は、オイルポンプ７から潤滑部９及び液圧装置０に向けて圧送される潤滑油の圧力をセット圧に調圧する役割を担う。このリリーフバルブ１は、オイルポンプ７のハウジング内に一体的に組み付けられていることがある。
【００１６】
潤滑油系統では、エンジン回転数によらず、少なくとも可変バルブタイミング機構等を作動させるのに十分な液圧力が必要である。オイルポンプ７の能力は、この液圧力を常時供給できるように設計されている。加えて、エンジン回転数の高い運転領域では、機関の焼き付きを防止するべく、潤滑油系統を流れる潤滑油をさらに高圧化し、多量の潤滑油を潤滑部９に供給することが求められている。
【００１７】
上述の要請に応えるべく、本実施形態のリリーフバルブ１は、図５に示すように、低中回転の運転領域において可変バルブタイミング機構等の液圧装置０を作動させるのに必要十分な低位のセット圧と、高回転の運転領域において潤滑部９を確実に潤滑できるような高位のセット圧との、二段階のセット圧をもつものとしている。
【００１８】
図１ないし図４に示しているように、本実施形態のリリーフバルブ１は、周壁２、スプール弁体３、スプール付勢スプリング４、リテーナ５及びリテーナ付勢スプリング６を構成部材とする。
【００１９】
周壁２は、内周が略円筒状をなす弁収容室２１と、弁収容室２１の一端側に位置する導入室２２と、弁収容室２１の他端側に位置するリテーナ収容室２３と、導入室２２とリテーナ収容室２３との間に形成したドレーンポート２４とを包有する。
【００２０】
導入室２２は、オイルポンプ７から吐出されて液圧回路を流動する潤滑油が流入する室である。弁収容室２１は、その内にスプール弁体３及びスプール付勢スプリング４を収容する室である。リテーナ収容室２３は、その内にリテーナ５及びリテーナ付勢スプリング６を収容する室である。
【００２１】
ドレーンポート２４は、オイルポンプ７の上流またはオイルパン８に至る流下路と接続している。液圧回路を流動する潤滑油の圧力がセット圧を超えて過剰となる場合には、導入室２２に流入した一部の潤滑油が弁収容室２１を経由してドレーンポート２４から排出され、オイルポンプ７の上流へと還流し、またはオイルパン８へと流下する。
【００２２】
スプール弁体３は、弁収容室２１内を軸線方向に沿って摺動し、その進退動作を通じて潤滑油が流通する流通口であるドレーンポート２４の開度を拡縮させる。スプール弁体３は、軸線方向に沿って配列されているスプール付勢スプリング４及びリテーナ付勢スプリング６により、ドレーンポート２４の開度を縮小させる方向に弾性付勢されている。そして、導入室２２に流入する潤滑油の圧力を受けて、スプール付勢スプリング４及び／またはリテーナ付勢スプリング６を圧縮変形させながら、ドレーンポート２４の開度を拡大させる方向に移動する。
【００２３】
スプール付勢スプリング４は、その一端をスプール弁体３の内面に当接させてスプール弁体３を押圧するとともに、その他端をリテーナ５により支持させてある。本実施形態におけるスプール付勢スプリング４は、ばね定数の小さい低ばね定数部４１と、この低ばね定数部４１よりもばね定数の高い高ばね定数部４２とを備えている。スプール付勢スプリング４がコイルスプリングであるならば、コイルの巻き方の疎密や巻径等に変化を付けることで、ばね定数を増減させることが可能である。例えば、低ばね定数部４１ではコイルを密に巻き、高ばね定数部４２ではコイルを疎に巻くようにする。図示では、一端側が高ばね定数部４２、他端側が低ばね定数部４１となっているが、これは逆にしても構わない。
【００２４】
リテーナ５は、リテーナ収容室２３内で軸線方向に沿って変位することが可能である。故に、スプール付勢スプリング４は、一端側も他端側も軸線方向に沿って変位し得る自由端となっている。リテーナ５は、リテーナ付勢スプリング６により、スプール付勢スプリング４の圧縮変形量を増大させる（リテーナ５がスプール弁体３に対して接近する）方向、つまりスプール弁体３をドレーンポート２４の開度を縮小させるように押しやる方向に弾性付勢されている。
【００２５】
リテーナ付勢スプリング６は、その一端をリテーナ５におけるスプール付勢スプリング４を支持している側とは反対側の面に当接させてリテーナ５を押圧するとともに、その他端をリテーナ収容室２３の他端に固定しており、一端側が自由端、他端側が固定端となっている。リテーナ付勢スプリング６のばね定数は、スプール付勢スプリング４の低ばね定数部４１よりも高く、高ばね定数部４２よりも低い。
【００２６】
リテーナ収容室２３は、その内径または軸線方向に対して直交する方向に沿った内寸が弁収容室２１の内径よりも拡張している。リテーナ５の外形寸法もまた、その外形寸法が弁収容室２１の内径よりも拡張している。リテーナ５の軸心方向に沿った可動範囲は、リテーナ収容室２３の一端とこれに連なる弁収容室２１の他端との間に介在する縮径部２５によって規制される。換言すれば、縮径部がストッパ２５となり、リテーナ付勢スプリング６により弾性付勢されているリテーナ５はこのストッパ２５に当接してそれ以上先に変位することができない。
【００２７】
その上で、リテーナ付勢スプリング６は、リテーナ５がストッパ２５に当接している状態でも自らの弾性付勢力を発揮するよう、予め圧縮変形させてリテーナ収容室２３に設置してある。
【００２８】
本実施形態のリリーフバルブ１の動作を説明する。エンジン回転数が低く、導入室２２に流入する潤滑油の圧力が低位のセット圧以下にある図５（ａ）の領域では、図１に示すようにスプール弁体３によりドレーンポート２４が閉塞され、かつ導入室２２とドレーンポート２４との間も隔絶されており、潤滑油がドレーンポート２４を介してオイルパン８に向けて流下することはない。従って、図５（ａ）の領域では、エンジン回転数が上昇してオイルポンプ７の吐出圧力が高まることで、潤滑部９及び液圧装置０に供給される潤滑油の圧力が逓増する。
【００２９】
エンジン回転数の上昇とともに、導入室２２に流入する潤滑油の圧力も上昇し、その圧力を受けたスプール弁体３がスプール押圧スプリングを圧縮しつつ変位する。このとき、スプール押圧スプリングの低ばね定数部４１が主として変形し、高ばね定数部４２は大して変形しない。また、既に述べた通り、リテーナ付勢スプリング６はリテーナ収容室２３内で予め弾性付勢力を発揮するように圧縮されており、スプール弁体３が受ける潤滑油圧が高位のセット圧以上となるまでは圧縮変形量が増大しない、即ちリテーナ５がストッパ２５から離反することはない。
【００３０】
導入室２２に流入する潤滑油の圧力が低位のセット圧以上となった図５（ｂ）の領域では、図２に示すようにスプール弁体３がドレーンポート２４の開度を拡大させる方向に変位し、導入室２２とドレーンポート２４との間が連通する。よって、余剰の潤滑油がドレーンポート２４を介してオイルパン８に向けて流下するようになる。図５（ｂ）の領域では、エンジン回転数が上昇してオイルポンプ７の吐出圧力が高まるにつれ、スプール押圧スプリングの圧縮変形量、そしてスプール弁体３の変位量が増大し、ドレーンポート２４から漏出する潤滑油の量が増すため、潤滑部９及び液圧装置０に供給される潤滑油の圧力は低位のセット圧に保たれる。
【００３１】
導入室２２に流入する潤滑油の圧力がさらに高まると、遂には図３に示すようにスプール付勢スプリング４の低ばね定数部４１が完全に押し潰されてしまう。低ばね定数部４１がそれ以上変形できなくなった図５（ｃ）の領域では、導入部に流入する潤滑油の圧力が上昇したとしても、圧縮変形しにくいスプール付勢スプリング４の高ばね定数部４２が少しく変形量を増すのみであり、スプール弁体３はあまり変位せず、ドレーンポート２４の開度も実効的には拡大しない。従って、図５（ｃ）の領域では、エンジン回転数が上昇してオイルポンプ７の吐出圧力が高まることで、潤滑部９及び液圧装置０に供給される潤滑油の圧力が逓増する。
【００３２】
エンジン回転数が顕著な高回転となり、導入室２２に流入する潤滑油の圧力が高位のセット圧以上となった図５（ｄ）の領域では、スプール弁体３に作用する潤滑油圧がリテーナ付勢スプリング６の予圧に打ち勝ち、図４に示すようにリテーナ５をストッパ２５から離反させる。リテーナ付勢スプリング６のばね定数はスプール付勢スプリング４の高ばね定数部４２のそれよりも低く、高ばね定数部４２がさほど変形しないとしても、リテーナ付勢スプリング６が変形しリテーナ５が変位することでスプール弁体３が変位する。図５（ｄ）の領域では、エンジン回転数が上昇してオイルポンプ７の吐出圧力が高まるにつれ、高ばね定数部４２及びリテーナ５押圧スプリングの圧縮変形量、そしてスプール弁体３の変位量が増大し、ドレーンポート２４から漏出する潤滑油の量が増すため、潤滑部９及び液圧装置０に供給される潤滑油の圧力は高位のセット圧に保たれる。
【００３３】
本実施形態のリリーフバルブ１は、流体の圧力を受けて進退しその進退動作により流体が流通する流通口２４の開度を拡縮させるスプール弁体３と、前記スプール弁体３を前記流通口２４の開度を縮小させる方向に弾性付勢するスプール付勢スプリング４と、前記スプール付勢スプリング４を支持する可動のリテーナ５と、前記リテーナ５の前記スプール付勢スプリング４の変形量を増大させる方向への移動の範囲を規制するストッパ２５と、前記リテーナ５を前記スプール付勢スプリング４の変形量を増大させる方向に弾性付勢するとともに、リテーナ５が前記ストッパ２５に当接した状態でも自らの弾性付勢力を発揮するよう予め変形させて設置したリテーナ付勢スプリング６とを具備する。
【００３４】
リテーナ付勢スプリング６は予め圧縮されており、スプール弁体３に作用する液圧力が高位のセット圧に達するまでは収縮変形することはない。スプール弁体３に作用する液圧力が高位のセット圧以上となった後、リテーナ５及びスプール弁体３がともに変位してドレーンポート２４の開度を一層拡大させる。
【００３５】
本実施形態によれば、周壁２に複数のドレーンポートを穿ったり、スプール弁体３に複数の通路部を設けたりすることなく、低位のセット圧及び高位のセット圧を具現することができる。スプール弁体３の形状を徒に複雑化させずに済み、リリーフバルブ１の作製にかかる工数を削減することができる。従前のリリーフバルブと比較して、必要とされる加工精度も高くなく、コスト低減に奏効する。
【００３６】
前記スプール付勢スプリング４が、低ばね定数部４１と、前記低ばね定数部４１及び前記リテーナ付勢スプリング６よりもばね定数の高い高ばね定数部４２とを備えているため、高ばね定数部４２のばね定数を調整することで、図５（ｃ）の領域におけるポンプ７の吐出圧と潤滑部９及び液圧装置０に供給される液圧との関係特性、いわば図５（ｃ）の領域のグラフの傾きを適宜に設定することが可能となる。
【００３７】
なお、本発明は以上に詳述した実施形態に限られるものではない。上記実施形態では、スプール付勢スプリング４が低ばね定数部４１及び高ばね定数部４２を備えていたが、図６ないし図９に示すように、スプール付勢スプリング４が高ばね定数部４２を備えず、スプール付勢スプリング４全体のばね定数が均一である態様をとることも考えられる。
【００３８】
当該変形例にあって、図６は図５（ａ）の領域に、図７は図５（ｂ）の領域に、図８は図５（ｃ）の領域に、図９は図５（ｄ）の領域に、それぞれ相当する。導入部に流入する潤滑油の圧力が高位のセット圧以下であるが、スプール付勢スプリング４が完全に押し潰されている図８の状態では、ポンプ７の吐出圧がさらに上昇したとしてもスプール弁体３は変位せず、ドレーンポート２４の開度も拡大しない。それ故、図５（ｃ）の領域におけるポンプ７の吐出圧と潤滑部９及び液圧装置０に供給される液圧との関係特性のグラフの傾きが急峻となる。
【００３９】
その他各部の具体的構成は、本発明の趣旨を逸脱しない範囲で種々変形が可能である。
【産業上の利用可能性】
【００４０】
本発明は、車両等に搭載される内燃機関の潤滑油系統等に適用することができる。
【符号の説明】
【００４１】
１…リリーフバルブ
２４…流通口（ドレーンポート）
２５…ストッパ（縮径部）
３…スプール弁体
４…スプール付勢スプリング
４１…低ばね定数部
４２…高ばね定数部
５…リテーナ
６…リテーナ付勢スプリング
【図１】
2013050159.tif 000003
【図２】
2013050159.tif 000004
【図３】
2013050159.tif 000005
【図４】
2013050159.tif 000006
【図５】
2013050159.tif 000007
【図６】
2013050159.tif 000008
【図７】
2013050159.tif 000009
【図８】
2013050159.tif 000010
【図９】
2013050159.tif 000011